(57)【要約】【課題】  簡単な構成によって瞬時点灯に対応する。【解決手段】  ソケット本体１は第１及び第２のソケット部２，３を備え、第１のソケット部２は受け基板とこの受け基板上に起立されている受け台２２とを一体に形成し、この受け台２２を挟んで第１及び第２の嵌め込みスペースを設け、第２のソケット部３は被覆基板３１とこの被覆基板上に第１のソケット部側に突出されている第２の嵌合突部を一体に形成していると共に、第１の嵌合突部と第２の嵌合突部との間が嵌め込みスペースとなっており、第１及び第２の嵌合突部は受け基板上に接合され、受け台の第１及び第２の嵌め込みスペースに面している外壁面は上記第２のソケット部の嵌め込みスペースに面している上記第１及び第２の嵌合突部の内壁面と接合されている。【選択図】        図１
2007305350.tif 000002
【特許請求の範囲】
【請求項１】
第１のソケット部と第２のソケット部とを互いに嵌め込み合わせて形成されるソケット本体と、このソケット本体に取り付けてあってメタルハライドランプを保持可能である保持ばねと、上記ソケット本体内に先端部の接点部が配置されている通電コードとを備えており、
上記第１のソケット部は受け基板とこの受け基板上に起立されている受け台とを一体に形成しているものであり、
上記受け基板上には、この受け基板上面を底面とする第１の嵌め込みスペースと第２の嵌め込みスペースとを上記受け台を挟んで一側及び他側にそれぞれ設けてあり、
上記受け台には上記通電コードの先端部を収納するための対の嵌合穴を開けてあり、
上記第２のソケット部は被覆基板とこの被覆基板上に上記第１のソケット部側に突出されている第１及び第２の嵌合突部を一体に形成していると共に、上記第１の嵌合突部と第２の嵌合突部との間が嵌め込みスペースとなっており、
上記被覆基板には上記第１及び第２の嵌合突部間に設けられていると共に上記嵌め込みスペースに達する対の端子ピン挿入穴を開けてあり、
上記第２のソケット部の第１及び第２の嵌合突部は上記第１のソケット部の第１及び第２の嵌め込みスペースに嵌合され、上記第１のソケット部の受け台は上記第２のソケット部の嵌め込みスペースに嵌合され、上記嵌合穴と端子ピン挿入穴とは互いに連続されており、
上記第１及び第２の嵌合突部は上記受け基板上に接合され、上記受け台の第１及び第２の嵌め込みスペースに面している外壁面は上記第２のソケット部の嵌め込みスペースに面している上記第１及び第２の嵌合突部の内壁面と接合されており、
上記通電コードの接点部には、上記端子ピン挿入穴を通じて上記メタルハライドランプの端子ピンが挿入可能である
ことを特徴とするメタルハライドランプ用のソケット。
【請求項２】
第１のソケット部の受け台には対の嵌合穴の間に位置決め溝を設けてあり、第２のソケット部の嵌め込みスペースの底面から位置決め溝に嵌合可能である位置決め突条部を設けてあり、上記嵌め込みスペースの底面から各端子ピン挿入穴の開口縁を囲むように環状の係止部を突出してあり、各係止部は上記嵌合穴に嵌合可能であることを特徴とする請求項１記載のメタルハライドランプ用のソケット。
【請求項３】
第１のソケット部の受け台には対の嵌合穴の間に位置決め溝を設けてあり、第２のソケット部の嵌め込みスペースの底面から位置決め溝に嵌合可能である位置決め突条部を設けてあり、上記嵌め込みスペースの底面から各端子ピン挿入穴の開口縁を囲むように環状の係止部を突出してあり、上記嵌合穴の上記第２のソケット部側に段部を形成してあり、上記各係止部は上記嵌合穴に嵌合可能であると共に各係止部の端部が上記段部に接していることを特徴とする請求項１記載のメタルハライドランプ用のソケット。
【請求項４】
第１のソケット部と第２のソケット部は、いずれもセラミック製であってその表面が絶縁膜で被覆されていることを特徴とする請求項１乃至請求項３のいずれかに記載のメタルハライドランプ用のソケット。
【請求項５】
通電コードの先端部と接点部との接続部分は絶縁部材によってシールされていることを特徴とする請求項１乃至請求項４のいずれかに記載のメタルハライドランプ用のソケット。
【請求項６】
通電コードの先端部と接点部との接続部分は絶縁性チューブによって保護されていることを特徴とする請求項１乃至請求項４のいずれかに記載のメタルハライドランプ用のソケット。
【発明の詳細な説明】
【技術分野】
【０００１】
この発明は、店舗や室外装飾などの照明に用いられるメタルハライドランプ用のソケットに関するものである。
【背景技術】
【０００２】
メタルハライドランプは、これまでの石英管を使用したハライドランプと比較してコンパクトでハイパワーを得ることができると共に、長寿命を確保できることから、店舗や施設などの照明用として広く利用されている。
この種のメタルハライドランプは、通電コードに接続されているソケットの接点部（ピン差込み金具）に端子ピン（口金ピン）を差し入れて使用するものであって、下部の両側を板状の又はコイル状の保持ばねによって保持するものである。
従来のソケットとして、例えば特開２００５−１３５７５６号公報に記載のもの（発明の名称「ランプソケット」）が提案されている。
当該ランプソケットは、公報の図４に示すように、ソケット本体が上半体と下半体に分割されている。この上半体には凹所が設けられ、この凹所の下面の中央部に窪み部を設け、上記凹所の底面に対の挿通穴を貫通し、各挿通穴にはメタルハライドランプの下部から突出されている対の口金ピンが挿入される。下半体には、上記挿通穴の真下に凹部を、上面中央部に上記窪み部と係合する小突部をそれぞれ設けてある。上半体の上面の両側に巻線部を有する弾性線部材を配置して、両弾性線部材によってメタルハライドランプの傾きを微調整する。
【特許文献１】特開２００５−１３５７５６号公報
【発明の開示】
【発明が解決しようとする課題】
【０００３】
従来のソケットによれば、公報の図１に示すようにメタルハライドランプの口金ピンがソケットの上半体の挿通穴を通じて下半体の凹部内に差し込まれている状態では、上半体と下半体との噛み合い代が小さい（噛み合いが浅い）。このために、次のような不都合が生じる。すなわち、
パルス電圧が４ｋＶ〜６ｋＶ程度であれば、タイプハライドランプをソケットに接続した状態での瞬時点灯が可能であるが、高パルス電圧が上記値を越える場合には、瞬時点灯しようとした場合にメタルハライドランプの不点滅やその劣化を招く課題があった。
この発明の目的は、簡単な構成によって瞬時点灯に対応することができる耐高パルス電圧のメタルハライドランプ用のソケットを提供することにある。
【課題を解決するための手段】
【０００４】
この発明の第１の特徴は、第１のソケット部と第２のソケット部とを互いに嵌め込み合わせて形成されるソケット本体と、このソケット本体に取り付けてあってメタルハライドランプを保持可能である保持ばねと、上記ソケット本体内に先端部の接点部が配置されている通電コードとを備えており、上記第１のソケット部は受け基板とこの受け基板上に起立されている受け台とを一体に形成しているものであり、上記受け基板上には、この受け基板上面を底面とする第１の嵌め込みスペースと第２の嵌め込みスペースとを上記受け台を挟んで一側及び他側にそれぞれ設けてあり、上記受け台には上記通電コードの先端部を収納するための対の嵌合穴を開けてあり、上記第２のソケット部は被覆基板とこの被覆基板上に上記第１のソケット部側に突出されている第１及び第２の嵌合突部を一体に形成していると共に、上記第１の嵌合突部と第２の嵌合突部との間が嵌め込みスペースとなっており、上記被覆基板には上記第１及び第２の嵌合突部間に設けられていると共に上記嵌め込みスペースに達する対の端子ピン挿入穴を開けてあり、上記第２のソケット部の第１及び第２の嵌合突部は上記第１のソケット部の第１及び第２の嵌め込みスペースに嵌合され、上記第１のソケット部の受け台は上記第２のソケット部の嵌め込みスペースに嵌合され、上記嵌合穴と端子ピン挿入穴とは互いに連続されており、上記第１及び第２の嵌合突部は上記受け基板上に接合され、上記受け台の第１及び第２の嵌め込みスペースに面している外壁面は上記第２のソケット部の嵌め込みスペースに面している上記第１及び第２の嵌合突部の内壁面と接合されており、上記通電コードの接点部には、上記端子ピン挿入穴を通じて上記メタルハライドランプの端子ピンが挿入可能であることにある。
この発明の第２の特徴は、上記第１の特徴を前提としており、第１のソケット部の受け台には対の嵌合穴の間に位置決め溝を設けてあり、第２のソケット部の嵌め込みスペースの底面から位置決め溝に嵌合可能である位置決め突条部を設けてあり、上記嵌め込みスペースの底面から各端子ピン挿入穴の開口縁を囲むように環状の係止部を突出してあり、各係止部は嵌合穴に嵌合可能であることにある。
この発明の第３の特徴は、上記第１の特徴を前提としており、第１のソケット部の受け台には対の嵌合穴の間に位置決め溝を設けてあり、第２のソケット部の嵌め込みスペースの底面から位置決め溝に嵌合可能である位置決め突条部を設けてあり、上記嵌め込みスペースの底面から各端子ピン挿入穴の開口縁を囲むように環状の係止部を突出してあり、上記嵌合穴の上記第２のソケット部側に段部を形成してあり、上記各係止部は上記嵌合穴に嵌合可能であると共に各係止部の端部が上記段部に接していることにある。
この発明の第４の特徴は、上記第１乃至第３のいずれかの特徴を前提としており、第１のソケット部と第２のソケット部とがいずれもセラミック製であってその表面が絶縁膜で被覆されていることにある。
この発明の第５の特徴は、上記第１乃至第４のいずれかの特徴を前提としており、通電コードの先端部と接点部との接続部分が絶縁部材によってシールされていることにある。
この発明の第６の特徴は、上記第１乃至第４のいずれかの特徴を前提としており、通電コードの先端部と接点部との接続部分は絶縁性チューブによって保護されていることにある。
【発明の効果】
【０００５】
この発明によれば、簡単な構成により瞬間点灯に対応することができる耐高パルスのソケットを提供することができる。
【発明を実施するための最良の形態】
【０００６】
この発明の実施の形態について図面を参照して説明する。
この発明に係るメタルハライドランプ用のソケットは、図１〜図７に示すようにソケット本体１を構成している第１及び第２のソケット部２，３と、メタルハライドランプＬを保持する保持ばね４と、通電コード５とを備えている。
メタルハライドランプＬは、下端に２本の端子ピンＬ１を備えている。
【０００７】
図１〜図７において、ソケット本体１は、図２下側に位置している第１のソケット部２と上側に位置している第２のソケット部３とを組み合わせたものである。ソケット本体１は、いずれもセラミックなどのような絶縁部材によって平面形状がほぼ長円形に形成されており（図８及び図１２）、互いに嵌め込みによって一体化されている。
【０００８】
第１のソケット部２について図９〜図１２を参照して説明する。
第１のソケット部２は、受け基板２１とこの受け基板上に起立されている受け台２２とが一体成形されているものである。受け基板２１上には、図１０及び図１２に示すようにこの受け基板上面を底面とする第１の嵌め込みスペース２３ａと第２の嵌め込みスペース２３ｂとを受け台２２を挟んで一側（図上側）及び他側（図下側）にそれぞれ設けてある。
受け台２２において、図１１及び図１２に示すように第１の嵌め込みスペース２３ａ側に面している外壁面２２１は平面形状が凸形の溝状に形成され、また第２の嵌め込みスペース２３ｂ側に面している外壁面２２２は平面形状がほぼ凹形の溝状に形成されている。受け台２２には、図９、図１０及び図１２に示すようにその中央部に図１２上下方向に横断する深いスリット状の位置決め溝２４を設けてある。また受け台２２には、位置決め溝２４を挟んで図９左右両側に対の嵌合穴２５を設けてあり、各嵌合穴の底部が受け基板２１の上面に達している。各嵌合穴２５の上側に段部２５１を形成してある。各嵌合穴２５の第２の嵌め込みスペース２３ｂ側には、嵌合穴と同一深さの案内溝２６（図１２）の一端が連なっており、各案内溝の他端が第２の嵌め込みスペース２３ｂに達している。図１２に示すように、受け基板２１の第２の嵌め込みスペース２３ｂ側に対向している部分の外周端の両側は、通電コード５（図１）のための引き出し口用の開口部２７ａ，２７ｂを設けてある。受け基板２１には、図１０の上下両端側に取付け穴２１１を厚み方向に貫通状態に開けてある。
【０００９】
第２のソケット部３について主に図８〜図１３を参照して説明する。
第２のソケット部３は、被覆基板３１とこの被覆基板上に前記第１のソケット部２側に突出されている第１及び第２の嵌合突部３２ａ，３２ｂとが一体成形されているものである。
図１０及び図１３に示すように被覆基板３１は、下面側（前記第１のソケット部２側）のほぼ中央部にこの被覆基板を幅方向に横切るように嵌め込みスペース３３を設けてあって、この嵌め込みスペース３３を挟んで第１の嵌合突部３２ａと第２の嵌合突部３２ｂとが対向して配置されている。嵌め込みスペース３３は図１３左右方向が開放されている。
図７、図１２及び図１３において、第１の嵌合突部３２ａは嵌め込みスペース３３側の内壁面３２１ａの平面形状が凹形の溝状に形成されており、前記受け台２２における外壁面２２１の凸形の溝状に対応している。内壁面３２１ａは前記受け台２２の外壁面２２１と接合可能である。また第２の嵌合突部３２ｂは嵌め込みスペース３３側の内壁面３２１ｂの平面形状がほぼ凸形の溝状に形成されており、前記受け台２２における外壁面２２２のほぼ凹形の溝状に対応している。内壁面３２１ｂは前記受け台２２の外壁面２２２と接合可能である。
被覆基板３１の嵌め込みスペース３３の底部には、図９、図１０及び図１３に示すようにその中央部に図１３上下方向に横断するリブ状の位置決め突条部３４を設けてある。位置決め突条部３４は前記受け台２２における位置決め溝２４内に嵌合可能である。
被覆基板３１には、位置決め突条部３４を挟んで図９左右両側に対の端子ピン挿入穴３５を設けてあり、各端子ピン挿入穴は被覆基板３１を貫通している。被覆基板３１の嵌め込みスペース３３の底面には、各端子ピン挿入穴３５の下端開口を囲むように環状の係止部３８を突出状態に設けてある。各係止部３８は前記受け台２２における各嵌合穴２５内に嵌め込み可能であって、係止部３８の下端面が嵌合穴の段部２５１に当接可能である。
被覆基板３１の上面側にはメタルハライドランプＬ（図２）の下端部を嵌め込み可能である保持凹部３１１を形成してある（図２）。また被覆基板３１には保持ばね４（図３）を保持するための対の保持溝３１２を設けてあり、両保持溝は保持凹部３１１を挟んで図８上下両側に対向的に配置されている。各保持溝３１２の底部には取付け穴３１３が貫通状態に開けられている。各取付け穴３１３は前記受け台２２の各取付け穴２１１と同一径であって、互いに連続されて一つの穴を形成している（図３）。
嵌め込みスペース３３の図１３の左右両側であって第２の嵌合突部３２ｂの両側下部に通電コード５のための引き出し口用の開口部３７ａ，３７ｂを設けてある。
【００１０】
第１のソケット部２と第２のソケット部３とは、組み立て前にこれら全体をシリコン絶縁液の浸漬槽内に入れて表面を絶縁膜８（図９）で被覆されており、このような被覆により高圧パルスによる放電に伴う悪影響の防止を図っている。
第１のソケット部２と第２のソケット部３はセラミック製（陶磁器製）であるために、その性質上製造過程では含有されている鉄分が下側に沈殿する傾向があると言われており、また経年変化によってその鉄分が表面に露出される傾向にある。このような鉄分がソケットに対して高圧パルスによる放電に伴う悪影響を与える可能性がある。このために、予めソケット本体１を構成している第１及び第２のソケット部２，３の全表面を絶縁膜８で被覆しておくことによって、放電による短絡防止を図ることができる。
【００１１】
第１のソケット部２と第２のソケット部３との結合関係について、図２〜図７を参照して説明する。
第１のソケット部２の受け台２２は、図２及び図７に示すように第２のソケット部３の嵌め込みスペース３３内に嵌め込まれている。また第１のソケット部２の第１の嵌め込みスペース２３ａには第２のソケット部の第１の嵌合突部３２ａが、第２の嵌め込みスペース２３ｂには第２の嵌合突部３２ｂがそれぞれ嵌め込まれている。第１及び第２の嵌合突部３２ａ，３２ｂの下面は受け基板２１上面に接合され（図４）、また受け台２２の第１及び第２の嵌め込みスペース２３ａ，２３ｂに面している外壁面２２１，２２２は第２のソケット部３の嵌め込みスペース３３に面している第１及び第２の嵌合突部３２ａ，３２ｂの内壁面３２１ａ，３２１ｂと接合されている（図７）。
このように、第１のソケット部２と第２のソケット部３は、図２〜図４及び図７に示すように受け台２１、第１及び第２の嵌め込みスペース２３ａ，２３ｂ、第１及び第２の嵌合突部３２ａ，３２ｂ、嵌め込みスペース３３を介して互いに噛み合っている。図２に示すように噛み合い代ｈは、ソケット本体１の高さの約４割弱に設定され、第１のソケット部２と第２のソケット部３とが深く噛み合う構成となっている。
第１のソケット部２における受け台２２の位置決め溝２４内には、第２のソケット部３の位置決め突条部３４が嵌合している。
第１のソケット部２における受け台２２の嵌合穴２５と第２のソケット部３の端子ピン挿入穴３５とは対向的に配置されており、第２のソケット部３の環状の係止部３８が嵌合穴に係合されている。
第１のソケット部２における受け台２２の引き出し口用の開口部２７ａ，２７ｂは、第２のソケット部３の引き出し口用の開口部３７ａ，３７ｂと共に、通電コード用の引き出し口７ａ，７ｂを形成する（図５）。
取付け穴３１３は受け台２２の各取付け穴２１１に連続されている。
【００１２】
図１〜図３において、保持ばね４は、第２のソケット部３における保持溝３１２内に配置されている。保持ばね４の下部はパイプ状の接続金具９によって保持溝３１２の底部に固定されている。保持ばね４の上部側の内側に折れ曲がっている保持ばね部４ａが第２のソケット部３の上面より上方に延伸されている。対向する保持ばね４の保持ばね部４ａはそのばね力によって、起立するメタルハライドランプＬの下部を挟むように保持して、メタルハライドランプがソケット本体１から離脱しにくくしている。
接続金具９は第１のソケット部２の取付け穴２１１及び第２のソケット部３の取付け穴３１３に差し込まれており、その両端をかしめることによって第１及び第２のソケット部の一体化を図っている。
【００１３】
図１４及び図１５に示すように、通電コード５は先端部に孔５１１を有するパイプ状の接点部５１を接続している。接点部５１と通電コード５の先端部との接続部分は絶縁部材６、図示の例ではシリコン絶縁性チューブによって保護されており、当該接続部分の放電を防止している。
通電コード５における接点部５１は図２及び図７に示すように第２のソケット部の端子ピン挿入穴３５内にセットされ、接点部に連なる通電コード５は案内溝２６を経て通電コード用の引き出し口７ａ，７ｂからソケット本体１の外側に引き出されている。
図２に示すように、各接点部５１には端子ピン挿入穴３５を通じてメタルハライドランプＬの端子ピンＬ１が挿入可能であって、挿入状態では接点部と端子ピンとが接触される。
【００１４】
メタルハライドランプ用のソケットの使用方法について説明する。
図２に示すように、メタルハライドランプＬの端子ピンＬ１をソケット本体１の端子ピン挿入穴３５に差し入れると、端子ピンは接点部５１に挿入されて通電可能な状態になる。挿入時には、保持ばね４はメタルハライドランプＬの下部を挟み、そのばね力によってソケット本体１上に直立姿勢にあるメタルハライドランプとソケット本体との結合が補強される。
この状態で通電コード５を通じてソケットに電流を供給することにより、メタルハライドランプＬの発光管（図示せず。）内で放電がされ、発光（点灯）される。
消灯後に、直ちにスイッチを入れて、高熱高温度状態にあるソケット本体１に電流を供給しても点灯が可能となる。
【００１５】
この発明によれば、パルス電圧が６ｋＶを越える場合であっても、瞬時点灯が可能である。
これは、第１に、ソケット本体１における第１のソケット部２と第２のソケット部３とは、図２〜図４及び図７に示すように、受け台２１、第１及び第２の嵌め込みスペース２３ａ，２３ｂ、第１及び第２の嵌合突部３２ａ，３２ｂ、嵌め込みスペース３３を介して互いに深かつ接合状態で噛み合っており、かつ嵌合穴２５内に端子ピン挿入穴３５に連続する環状の係止部３８が差し込まれているために、接点部５１から生じる放電の漏れを抑制しているからである。放電の漏れの抑制効果は、図２及び図７に示すように第２のソケット部３の環状の係止部３８の下端部が第１のソケット部２における受け台２２の嵌合穴２５の段部２５１上に接していることにより一層高められる。
第２に、第１のソケット部２と第２のソケット部３の各表面が絶縁膜８で被覆されているから、高圧パルス放電の影響を抑えているからである。
第３に、接点部５１と通電コード５の先端部との接続部分はシリコン絶縁性チューブのような絶縁部材６によって保護されており、当該接続部分の放電を防止しているからである。
【００１６】
図示するソケット同一構造であって、ＡＣ２００Ｖの１５０Ｗ適用のものについて次の条件で試験を行った。
試験環境は室温２６°Ｃ、湿度は４９％である。
１．商用周波電圧試験（交流  ５０Ｈｚ）
試験電圧（ｋＶ）          試験時間（分）        試験結果
１１                    １                  異常なし
２．雷インパルス耐電圧試験（試験電圧波形  正極性標準雷インパルス波形）
試験電圧（ｋＶ波高値）    印加回数（回）        試験結果
２０                    ３                  異常なし
この発明のソケットによれば、パルス電圧２０ｋＶであっても瞬時点灯が可能であることが判明した。
【図面の簡単な説明】
【００１７】
【図１】この発明に係るメタルハライドランプ用のソケットを示す平面図である。
【図２】図１のＩＩ−ＩＩ線断面図である。
【図３】図１のＩＩＩ−ＩＩＩ線断面図である。
【図４】図１のＩＶ−ＩＶ線断面図である。
【図５】この発明に係るメタルハライドランプ用のソケットを示す正面図である。
【図６】この発明に係るメタルハライドランプ用のソケットを示す側面図である。
【図７】図６のＶＩＩ−ＶＩＩ線拡大断面図である。
【図８】この発明に係るメタルハライドランプ用のソケットにおけるソケット本体を示す平面図である。
【図９】図８のＩＸ−ＩＸ線断面図であって、第１のソケット部と第２のソケット部を分離している状態を示す図である。
【図１０】図８のＸ−Ｘ線断面図であって、第１のソケット部と第２のソケット部を分離している状態を示す図である。
【図１１】図８のＸＩ−ＸＩ線断面図であって、第１のソケット部と第２のソケット部を分離している状態を示す図である。
【図１２】この発明に係るメタルハライドランプ用のソケットの第１のソケット部を示す平面図である。
【図１３】この発明に係るメタルハライドランプ用のソケットの第２のソケット部を示す底面図である。
【図１４】この発明に係るメタルハライドランプ用のソケットの通電コードを示す拡大平面図である。
【図１５】この発明に係るメタルハライドランプ用のソケットの通電コードを示す一部切欠拡大正面図である。
【符号の説明】
【００１８】
１                    ソケット本体
２                    第１のソケット部
２１                  受け基板
２２                  受け台
２３ａ                第１の嵌め込みスペース
２３ｂ                第２の嵌め込みスペース
２２１，２２２        外壁面
２４                  位置決め溝
２５                  嵌合穴
２５１                嵌合穴の段部
３                    第２のソケット部
３１                  被覆基板
３２ａ                第１の嵌合突部
３２ｂ                第２の嵌合突部
３３                  嵌め込みスペース
３２１ａ，３２１ｂ    内壁面
３４                  位置決め突条部
３５                  端子ピン挿入穴
３８                  係止部
４                    保持ばね
５                    通電コード
５１                  接点部
６                    絶縁部材
８                    絶縁膜
Ｌ                    メタルハライドランプ
Ｌ１                  端子ピン
ｈ                    噛み合い代
【図１】
2007305350.tif 000003
【図２】
2007305350.tif 000004
【図３】
2007305350.tif 000005
【図４】
2007305350.tif 000006
【図５】
2007305350.tif 000007
【図６】
2007305350.tif 000008
【図７】
2007305350.tif 000009
【図８】
2007305350.tif 000010
【図９】
2007305350.tif 000011
【図１０】
2007305350.tif 000012
【図１１】
2007305350.tif 000013
【図１２】
2007305350.tif 000014
【図１３】
2007305350.tif 000015
【図１４】
2007305350.tif 000016
【図１５】
2007305350.tif 000017